【手続補正書】
【提出日】平成18年9月19日(2006.9.19)
【手続補正１】
【補正対象書類名】明細書
【補正対象項目名】特許請求の範囲
【補正方法】変更
【補正の内容】
【特許請求の範囲】
【請求項１】
発光のためのしきい電圧もしくはしきい電流が外部から電気的に制御可能な３端子発光素子多数個を、一次元的に配列し、隣接する発光素子のしきい電圧もしくはしきい電流を制御する制御電極を、電圧もしくは電流の一方向性をもつ電気的手段にて互いに接続し、前記一次元的に配列された各発光素子の残りの２端子のうちの一方に、外部から２相のクロックパルスを、それぞれ１素子おきに供給し、一方の相のクロックパルスにより、ある発光素子が発光しているとき、その発光素子近傍の発光素子のしきい電圧もしくはしきい電流を、前記電気的手段を介して変化させ、他方の相のクロックパルスにより、前記ある発光素子に隣接する発光素子を発光させ、発光している発光素子に書き込み電流を供給して書き込み発光させる自己走査型発光素子アレイの駆動回路において、
第１のパルス電圧源と、この第１のパルス電圧源からのパルス電圧が入力端子に供給される第１のバッファと、この第１のバッファの出力端子に接続された第１の抵抗とからなり、前記クロックパルスを発生する回路と、
第２のパルス電圧源と、この第２のパルス電圧源からのパルス電圧がゲート端子に供給され、入力端子は電源に接続される第２のバッファと、この第２のバッファの出力端子に接続された第２の抵抗とからなり、前記書き込み電流を発生する回路と、
を有することを特徴とする駆動回路。
【請求項２】
前記第２の抵抗の値は、前記発光素子を書き込み発光させるのに必要な書き込み電流を流すための抵抗値となるように選択されることを特徴とする請求項１記載の駆動回路。
【請求項３】
発光のためのしきい電圧もしくはしきい電流が外部から電気的に制御可能な３端子発光素子多数個を、一次元的に配列し、
隣接する発光素子のしきい電圧もしくはしきい電流を制御する制御電極を、電圧もしくは電流の一方向性をもつ電気的手段にて互いに接続し、
前記一次元的に配列された各発光素子の残りの２端子のうちの一方に、外部から２相のクロックパルスを、それぞれ１素子おきに供給し、
一方の相のクロックパルスにより、ある発光素子が発光しているとき、その発光素子近傍の発光素子のしきい電圧もしくはしきい電流を、前記電気的手段を介して変化させ、
他方の相のクロックパルスにより、前記ある発光素子に隣接する発光素子を発光させ、
発光している発光素子に書き込み電流を供給して書き込み発光させる自己走査型発光素子アレイにおいて、
第１のパルス電圧源と、この第１のパルス電圧源からのパルス電圧が入力端子に供給される第１のバッファと、この第１のバッファの出力端子に接続された第１の抵抗とからなり、前記クロックパルスを発生する回路と、
第２のパルス電圧源と、この第２のパルス電圧源からのパルス電圧がゲート端子に供給され、入力端子は電源に接続される第２のバッファと、この第２のバッファの出力端子に接続された第２の抵抗とからなり、前記書き込み電流を発生する回路と、
を備えることを特徴とする自己走査型発光素子アレイ。
【請求項４】
前記第２の抵抗の値は、前記発光素子を書き込み発光させるのに必要な書き込み電流を流すための抵抗値となるように選択されることを特徴とする請求項３記載の自己走査型発光素子アレイ。
【請求項５】
前記第１の抵抗と前記第１および第２のバッファとは、前記発光素子と同一チップ上に集積されていることを特徴とする請求項３または４記載の自己走査型発光素子アレイ。
【請求項６】
前記第１および第２の抵抗と、前記第１および第２のバッファとは、前記発光素子と同一チップ上に集積されていることを特徴とする請求項３または４記載の自己走査型発光素子アレイ。
【請求項７】
前記発光素子は、発光サイリスタであることを特徴とする請求項３〜６のいずれかに記載の自己走査型発光素子アレイ。
【請求項８】
発光のためのしきい電圧もしくはしきい電流が外部から電気的に制御可能な３端子発光素子多数個を、一次元的に配列し、隣接する発光素子のしきい電圧もしくはしきい電流を制御する制御電極を、電圧もしくは電流の一方向性をもつ電気的手段にて互いに接続し、前記一次元的に配列された各発光素子の残りの２端子のうちの一方に、外部から２相のクロックパルスを、それぞれ１素子おきに供給し、一方の相のクロックパルスにより、ある発光素子が発光しているとき、その発光素子近傍の発光素子のしきい電圧もしくはしきい電流を、前記電気的手段を介して変化させ、他方の相のクロックパルスにより、前記ある発光素子に隣接する発光素子を発光させ、発光している発光素子に書き込み電流を供給して書き込み発光させる自己走査型発光素子アレイの駆動回路において、
第１のパルス電圧源と、この第１のパルス電圧源からのパルス電圧が入力端子に供給される第１のバッファと、この第１のバッファの出力端子に接続された第１の抵抗と、第２のパルス電圧源と、この第２のパルス電圧源からのパルス電圧がゲート端子に供給され、入力端子は電源に接続される第２のバッファと、この第２のバッファの出力端子に接続された第２の抵抗とからなり、転送時と転送後に電流を２段階に変化させることができる前記クロックパルスを発生する回路と、
第３のパルス電圧源と、この第３のパルス電圧源からのパルス電圧がゲート端子に供給され、入力端子は電源に接続される第３のバッファと、この第３のバッファの出力端子に接続された第３の抵抗とからなり、前記書き込み電流を発生する回路と、
を有することを特徴とする駆動回路。
【請求項９】
前記第１の抵抗の値は前記第２の抵抗の値よりも大きくなるように選択され、
前記第３の抵抗の値は、前記発光素子を書き込み発光させるのに必要な書き込み電流を流すための抵抗値となるように選択されることを特徴とする請求項８記載の駆動回路。
【請求項１０】
発光のためのしきい電圧もしくはしきい電流が外部から電気的に制御可能な３端子発光素子多数個を、一次元的に配列し、
隣接する発光素子のしきい電圧もしくはしきい電流を制御する制御電極を、電圧もしくは電流の一方向性をもつ電気的手段にて互いに接続し、
前記一次元的に配列された各発光素子の残りの２端子のうちの一方に、外部から２相のクロックパルスを、それぞれ１素子おきに供給し、
一方の相のクロックパルスにより、ある発光素子が発光しているとき、その発光素子近傍の発光素子のしきい電圧もしくはしきい電流を、前記電気的手段を介して変化させ、
他方の相のクロックパルスにより、前記ある発光素子に隣接する発光素子を発光させ、
発光している発光素子に書き込み電流を供給して書き込み発光させる自己走査型発光素子アレイにおいて、
第１のパルス電圧源と、この第１のパルス電圧源からのパルス電圧が入力端子に供給される第１のバッファと、この第１のバッファの出力端子に接続された第１の抵抗と、第２のパルス電圧源と、この第２のパルス電圧源からのパルス電圧がゲート端子に供給され、入力端子は電源に接続される第２のバッファと、この第２のバッファの出力端子に接続された第２の抵抗とからなり、転送時と転送後に電流を２段階に変化させることができる前記クロックパルスを発生する回路と、
第３のパルス電圧源と、この第３のパルス電圧源からのパルス電圧がゲート端子に供給され、入力端子は電源に接続される第３のバッファと、この第３のバッファの出力端子に接続された第３の抵抗とからなり、前記書き込み電流を発生する回路と、
を備えることを特徴とする自己走査型発光素子アレイ。
【請求項１１】
前記第１の抵抗の値は前記第２の抵抗の値よりも大きくなるように選択され、
前記第３の抵抗の値は、前記発光素子を書き込み発光させるのに必要な書き込み電流を流すための抵抗値となるように選択されることを特徴とする請求項１０記載の自己走査型発光素子アレイ。
【請求項１２】
前記第１および第２の抵抗と、前記第１，第２および第３のバッファとは、前記発光素子と同一チップ上に集積されていることを特徴とする請求項１０または１１記載の自己走査型発光素子アレイ。
【請求項１３】
前記第１，第２および第３の抵抗と、前記第１，第２および第３のバッファとは、前記発光素子と同一チップ上に集積されていることを特徴とする請求項１０または１１記載の自己走査型発光素子アレイ。
【請求項１４】
前記発光素子は、発光サイリスタであることを特徴とする請求項１０〜１３のいずれかに記載の自己走査型発光素子アレイ。
【請求項１５】
請求項３〜７，１０〜１４のいずれかに記載の自己走査型発光素子アレイを備えることを特徴とする書き込み用光源。
【請求項１６】
請求項１５に記載の書き込み用光源を備えることを特徴とする光プリンタ。